(57)【要約】【課題】太陽電池モジュールの異常を発見した場合に容易に場所を特定できる太陽光発電システム。【解決手段】太陽電池モジュール1直列に接続された太陽電池ストリング8が複数個配列されて成る太陽電池アレイ1-1〜1-nを有する太陽光発電システム、太陽電池モジュールまたは太陽電池ストリングまたは太陽電池アレイの太陽電池関連情報を保持する太陽電池関連情報保持部、太陽電池関連情報を外部に送信する情報送信部を有し、太陽電池関連情報保持部は、太陽電池モジュールまたは太陽電池ストリングまたは太陽電池アレイを識別する識別情報を保持する識別情報保持部、太陽電池モジュールまたは太陽電池ストリングまたは太陽電池アレイの情報を保持する太陽電池情報保持部、太陽電池モジュールまたは太陽電池ストリングまたは太陽電池アレイの位置を識別する位置情報を保持する位置情報保持部を有する。【選択図】図１
2011187808.tif 000002
【特許請求の範囲】
【請求項１】
太陽電池モジュールが直列に接続された太陽電池ストリングが複数個配列されて成る太陽電池アレイを有する太陽光発電システムと、
前記太陽電池モジュールまたは前記太陽電池ストリングまたは前記太陽電池アレイの太陽電池関連情報を保持する太陽電池関連情報保持部と、
前記太陽電池関連情報保持部からの太陽電池関連情報を外部に送信する情報送信部とを有し、
前記太陽電池関連情報保持部は、
前記太陽電池モジュールまたは前記太陽電池ストリングまたは前記太陽電池アレイを識別する識別情報を保持する識別情報保持部と、
前記太陽電池モジュールまたは前記太陽電池ストリングまたは前記太陽電池アレイの情報を保持する太陽電池情報保持部と、
前記太陽電池モジュールまたは前記太陽電池ストリングまたは前記太陽電池アレイの位置を識別する位置情報を保持する位置情報保持部と、
を有することを特徴とする太陽光発電システム。
【請求項２】
前記情報送信部からの太陽電池関連情報を受信する情報受信部と、
前記情報受信部で受信した太陽電池関連情報に基づき気象を判定する気象判定部と、
を有することを特徴とする請求項１記載の太陽光発電システム。
【請求項３】
前記情報送信部からの太陽電池関連情報に基づき前記太陽電池モジュールまたは前記太陽電池ストリングまたは前記太陽電池アレイの出力低下を検出する出力低下検出部と、
前記情報送信部からの太陽電池関連情報および気象情報に基づき前記太陽電池モジュールまたは前記太陽電池ストリングまたは前記太陽電池アレイへの天候の影響を検出する天候影響検出部と、
前記出力低下検出部および前記天候影響検出部からの情報に基づき前記太陽電池モジュールまたは前記太陽電池ストリングまたは前記太陽電池アレイの異常を判定する異常判定部と、
を有することを特徴とする請求項１または請求項２記載の太陽光発電システム。  
【請求項４】
前記太陽電池関連情報は、前記太陽電池モジュールまたは前記太陽電池ストリングまたは前記太陽電池アレイの温度情報および周囲温度情報を含むことを特徴とする請求項１乃至請求項３のいずれか１項記載の太陽光発電システム。
【請求項５】
前記太陽電池モジュールまたは前記太陽電池ストリングまたは前記太陽電池アレイの位置における日射強度に基づき前記位置における風速を算出する風速算出部を有することを特徴とする請求項１乃至請求項３のいずれか１項記載の太陽光発電システム。
【発明の詳細な説明】
【技術分野】
【０００１】
本発明は、太陽光を用いて発電を行う太陽光発電システムに関し、特に直流電力を発生する太陽電池モジュールの異常検出を容易に行う技術に関する。
【背景技術】
【０００２】
太陽光発電システムは、太陽電池モジュールに光が照射されることによって発生される直流電力をインバータによって交流電力に変換し、電力系統に供給する。図１３は、従来の太陽光発電システムの構成および動作を示す図である。この太陽光発電システムは、太陽電池モジュール１、接続箱２、インバータ３、昇圧変圧器４、交流遮断器５、連系用変圧器６および連系用遮断器７を備える。
【０００３】
太陽電池モジュール１は、光が照射されることによって直流電力を発生する。この太陽電池モジュール１が複数個直列に接続されて太陽電池ストリング８が構成されている。太陽電池ストリング８は、各太陽電池モジュール１で発生された直流電力を積算し、正極端子（＋）と負極端子（−）との間に出力する。太陽光発電システムは、複数の太陽電池ストリング８を備えており、各太陽電池ストリング８の正極端子（＋）および負極端子（−）は、接続箱２に接続されている。
【０００４】
接続箱２は、複数の太陽電池ストリング８から送られてくる直流電力を集めてインバータ３に送る。インバータ３は、接続箱２から送られてくる直流電力を交流電力に変換して、昇圧変圧器４に送る。昇圧変圧器４は、インバータ３から送られてくる交流電力を所定の電圧を有する交流電力に変換し、交流遮断器５を経由して連系用変圧器６へ送る。連系用変圧器６は、受け取った交流電力を系統電力９との連系に適した電圧に変換し、連系用遮断器７を経由して系統電力９に送る。なお、太陽電池モジュール１に照射される光は、強力であるほど太陽電池モジュール１の出力電流が大きくなり、太陽光発電システムから得られる電力は大きくなる。
【０００５】
このような太陽光発電システムに関連する技術として、特許文献１は、太陽電池モジュールの発熱による故障を正確かつ迅速に検出できる太陽電池モジュールの検査装置を開示している。この検査装置は、太陽電池モジュールを遮蔽する手段と、温度を検知する手段を併せもち、太陽電池モジュールを遮蔽することによって、太陽電池モジュールの発熱による故障を検出する。
【０００６】
また、特許文献２は、即時の故障診断・回復が可能であり、また、保守業者側では保守点検時の保守作業量を低減でき、ユーザ側では遮蔽物による発電低下、単位太陽電池部（モジュール、セル）の故障を知ることができる太陽電池診断システムを開示している。この太陽電池診断システムは、太陽光発電システムにおける太陽電池アレイと、この太陽電池アレイは別のパイロットモジュールと、このパイロットモジュールの出力特性曲線から太陽電池アレイの出力特性曲線モデルを作成し、この出力特性曲線モデルを太陽電池アレイの出力特性曲線と比較して太陽電池アレイの異常を診断する診断部を備える。
【先行技術文献】
【特許文献】
【０００７】
【特許文献１】特開２００１−２４２０４号公報
【特許文献２】特開平８−６４６５３号公報
【発明の概要】
【発明が解決しようとする課題】
【０００８】
上述した従来の太陽光発電システムは屋外に設置されるため、この太陽光発電システムで使用される太陽電池モジュールについては、鳥糞による表面ガラスの汚損または雹による表面ガラスの破損などといった予期できないトラブルが発生する。その結果、太陽電池モジュールの一部が異常発熱するなどの問題が発生する。
【０００９】
また、異常な太陽電池モジュールを放置すると、期待した発電量が得られず投資回収が遅れるという問題がある。また、異常発熱で太陽電池モジュールの裏面が焼損するなどといった安全上の問題も発生する可能性がある。したがって、太陽光発電システムでは、太陽電池モジュールの異常を検出し、異常が存在する太陽電池モジュールを交換する保守が必要になる。
【００１０】
しかし、太陽光発電モジュールは多数設置されるため、例え異常が発見された場合でも、場所を特定するのに、配線を辿る必要があるなどの手間が大きい問題となっていた。
【００１１】
また、従来の太陽光発電システムは発電目的にのみ利用され、太陽光発電システムの設置に用いた莫大な面積が単一目的に利用されているにすぎなかった。
【００１２】
本発明の課題は、太陽電池モジュールの異常を発見した場合に容易に場所を特定できる多目的な太陽光発電システムを提供することにある。
【課題を解決するための手段】
【００１３】
上記課題を解決するために、本発明の太陽光発電システムは、太陽電池モジュールが直列に接続された太陽電池ストリングが複数個配列されて成る太陽電池アレイを有する太陽光発電システムと、太陽電池モジュールまたは太陽電池ストリングまたは太陽電池アレイの太陽電池関連情報を保持する太陽電池関連情報保持部と、太陽電池関連情報保持部からの太陽電池関連情報を外部に送信する情報送信部とを有し、太陽電池関連情報保持部は、太陽電池モジュールまたは太陽電池ストリングまたは太陽電池アレイを識別する識別情報を保持する識別情報保持部と、太陽電池モジュールまたは太陽電池ストリングまたは太陽電池アレイの情報を保持する太陽電池情報保持部と、太陽電池モジュールまたは太陽電池ストリングまたは太陽電池アレイの位置を識別する位置情報を保持する位置情報保持部とを有することを特徴とする。
【発明の効果】
【００１４】
本発明によれば、太陽電池モジュール又は太陽電池ストリング又は太陽電池アレイの位置情報を保持することにより、太陽電池の故障・劣化・異常時にも容易に場所を特定できる多目的な太陽光発電システムを提供できる。
【図面の簡単な説明】
【００１５】
【図１】本発明の実施例１に係る太陽光発電システムの要部の構成を示す図である。
【図２】本発明の実施例１に係る太陽電池関連情報の構成を示す図である。
【図３】本発明の実施例１に係る位置情報の構成方法の１例を示す図である。
【図４】本発明の実施例１に係る位置情報の構成方法の１例を示す図である。
【図５】本発明の実施例１に係る位置情報の構成方法の１例を示す図である。
【図６】本発明の実施例１に係る位置情報の構成方法の１例を示す図である。
【図７】本発明の実施例２に係る太陽光発電システムの要部の構成を示す図である。
【図８】本発明の実施例２に係る太陽光発電システムの動作を示すフローチャートである。
【図９】本発明の実施例３に係る太陽光発電システムの要部の構成を示す図である。
【図１０】本発明の実施例３に係る太陽光発電システムの動作を示すフローチャートである。
【図１１】本発明の実施例４に係る太陽光発電システムの要部の構成を示す図である。
【図１２】本発明の実施例４に係る太陽光発電システムの要部の構成を示す図である。
【図１３】従来の一般的な太陽光発電システムの構成を示す回路図である。
【発明を実施するための形態】
【００１６】
以下に本発明の実施の形態を、図面を参照しながら詳細に説明する。なお、以下においては、背景技術の欄で説明した従来の太陽光発電システムと同一または相当する構成部分には、背景技術の欄で使用した符号と同一の符号を付して説明を省略または簡略化する。
【実施例１】
【００１７】
図１は、本発明の実施例１に係る太陽光発電システムの要部の構成を示す図である。なお、図１は、複数の太陽電池ストリングおよび接続箱のみを示しており、その他の構成部分は、図１３を参照して説明した従来の太陽光発電システムの構成部分と同じであるので、その説明を省略する。
【００１８】
この太陽光発電システムは、太陽光発電システム、太陽電池関連情報保持部１０、情報送信部１４から成る。
【００１９】
太陽光発電システムは、太陽電池ストリング８と接続箱２とから成り、各太陽電池ストリング８は直列に接続された１個または複数個の太陽電池モジュール１から成る。太陽電池関連情報保持部１０は、太陽電池モジュール１または太陽電池ストリング８または太陽電池アレイ１−１〜１−ｎを識別する識別情報を保持する識別情報保持部１３と、太陽電池モジュール１または太陽電池ストリング８または太陽電池アレイ１−１〜１−ｎの情報を保持する太陽電池情報保持部１２と、太陽電池モジュール１または太陽電池ストリング８または太陽電池アレイ１−１〜１−ｎの位置情報１６を保持する位置情報保持部１１から成る。
【００２０】
太陽電池関連情報保持部１０は、太陽電池モジュール１または太陽電池ストリング８または太陽電池アレイ１−１〜１−ｎ毎の太陽電池関連情報１５を保持する。太陽電池関連情報１５は、図２に示すように、太陽電池モジュール１または太陽電池ストリング８または太陽電池アレイ１−１〜１−ｎの識別情報１７と太陽電池モジュール１または太陽電池ストリング８または太陽電池アレイ１−１〜１−ｎの太陽電池情報１８と太陽電池モジュール１または太陽電池ストリング８または太陽電池アレイ１−１〜１−ｎの位置情報１６を表す。
【００２１】
識別情報１７は、太陽電池モジュール１または太陽電池ストリング８または太陽電池アレイ１−１〜１−ｎを一意に識別する情報を表し、任意に付加した記号や太陽電池モジュール１の製造番号、位置情報１６などのうち１つまたは複数の情報を識別情報とすることができる。
【００２２】
位置情報１６は、図３に示すように、基準点２１と一直線状でない２つの基準方向ベクトル２２を定め、基準点２１から太陽電池モジュール１または太陽電池ストリング８または太陽電池アレイ１−１〜１−ｎまでの位置ベクトルを基準方向ベクトル２２に分解し、分解した各ベクトルの係数とすることができる。
【００２３】
また、位置情報１６は、図４に示すように、基準点２１と１つの基準方向ベクトル２２と基準回転方向２３を定め、基準点２１から太陽電池モジュール１または太陽電池ストリング８または太陽電池アレイ１−１〜１−ｎまでの位置ベクトルと基準方向ベクトル２２から基準回転方向２３になす角度、および位置ベクトルの長さとすることもできる。
【００２４】
位置情報１６は、図５に示すように、経度・緯度計測手段２４を用いて、太陽電池モジュール１または太陽電池ストリング８または太陽電池アレイ１−１〜１−ｎの位置の経度と緯度とすることもできる。また、位置情報１６は、図６に示すように、太陽電池モジュール１または太陽電池ストリング８または太陽電池アレイ１−１〜１−ｎの住所とすることもできる。
【００２５】
太陽電池情報１８は、図２に示すように、太陽電池モジュール１の固有情報１９、運用情報２０のうち１つまたはこれら２つの組み合わせから成り、目的に応じて変化する。固有情報１９は、太陽電池モジュール１または太陽電池ストリング８または太陽電池アレイ１−１〜１−ｎに関する製造時、導入時に決定される運用時に時間依存的に変化しない情報、例えば製造番号、型名、メーカ名、工場試験値、導入年月日、直列数、並列数、固定架台などにおける設置角や方位角などのうち１つまたはこれら複数の情報の組み合わせから成る。
【００２６】
運用情報２０は、太陽電池モジュール１または太陽電池ストリング８または太陽電池アレイ１−１〜１−ｎに関する運用時に時間依存的に変化する情報、例えば電流情報、電圧情報、電力情報、電力量情報、温度情報、日射強度情報、追尾架台などにおける設置角や方位角などのうち１つまたはこれら複数の情報の組み合わせから成る。
【００２７】
太陽電池関連情報保持部１０は、情報送信部１４と接続され、情報送信部１４に太陽電池関連情報を出力する。情報送信部１４は、有線または無線で外部へ太陽電池関連情報１５を送信する。
【００２８】
次に、上記のように構成される本発明の実施例１に係る太陽光発電システムの動作を説明する。
【００２９】
太陽電池ストリング８の中に出力が低下した太陽電池モジュール１が存在した場合に、その太陽電池モジュール１またはその太陽電池モジュール１を含む太陽電池ストリング８またはその太陽電池モジュール１を含む太陽電池アレイから出力される電流は、他の太陽電池ストリング８から出力される電流より小さくなる。
【００３０】
この時、太陽電池情報保持部１２の太陽電池情報１８の運用情報２０に電流情報または電力情報を含む場合には、出力が低下したことにより電流情報または電力情報の値が低下する。太陽電池関連情報１５として、電流情報または電力情報を含む運用情報と固有情報とからなる太陽電池情報と位置情報と識別情報とが太陽電池関連情報保持部１０から情報送信部１４に送信される。情報送信部１４は太陽電池関連情報保持部１０からの太陽電池関連情報１５を外部に送信する。
【００３１】
一方、外部で太陽電池関連情報１５を受け取った場合、電流情報または電力情報を含む運用情報と識別情報と位置情報とに基づいて、出力が低下した太陽電池モジュール１またはその太陽電池モジュール１を含む太陽電池ストリング８またはその太陽電池モジュール１を含む太陽電池アレイ１−１〜１−ｎの位置を即座に識別することができる。これによって、出力低下が仮に太陽電池モジュール１の故障や劣化など交換が必要な場合にも、配線を辿ることなく即座に交換対応できる。
【００３２】
以上説明したように、本発明の実施例１に係る太陽光発電システムによれば、太陽電池モジュール１の出力低下を検出した場合にその位置（場所）を特定できるため、確実かつ容易に交換対応できる。また、遠隔監視が可能となることで容易に保守が行え、運用コストを低下させることができ、しかも安全性が高く保守コストの安い太陽光発電システムを提供できる。
【実施例２】
【００３３】
図７は、本発明の実施例２に係る太陽光発電システムの要部の構成を示す図である。図７に示す実施例２に係る太陽光発電システムは、図１に示す実施例１に係る太陽光発電システムの構成にさらに、情報受信部２５、気象判定部２６とを追加したことを特徴とする。図７において、図１と同様に構成される部分については説明を省略する。
【００３４】
情報受信部２５は、情報送信部１４より送信された太陽電池関連情報１５を受信し、受信した太陽電池関連情報１５を気象判定部２６へ送信する。太陽電池関連情報１５の太陽電池情報１８の運用情報２０には、気象判定部２６で気象判定に使用される情報、例えば太陽電池モジュール１または太陽電池ストリング８または太陽電池アレイ１−１〜１−ｎの電流、温度、日射強度などのうち１つまたは複数の情報が含まれる。
【００３５】
気象判定部２６は、情報受信部２５から受信した太陽電池関連情報１５の運用情報２０に含まれる気象判定に使用される情報に基づき気象を判定する。
【００３６】
次に、上記のように構成される本発明の実施例２に係る太陽光発電システムの動作を図８に示すフローチャートを参照しながら説明する。
【００３７】
まず、気象判定部２６は、情報受信部２５から太陽電池関連情報１５を取得する（ステップＳ１１）。次に、気象判定部２６は、太陽電池関連情報１５に含まれる気象判定に使用される情報を用いて、例えば気象判定に使用される気象判定情報の値が変化したかどうかを判定する（ステップＳ１２）。
【００３８】
気象判定部２６は、気象判定情報の値が増加、例えば閾値以上の場合には（ステップＳ１３のＹＥＳ）、曇から晴に変化したと判定する（ステップＳ１４）。気象判定情報の値が減少、例えば閾値未満の場合には（ステップＳ１３のＮＯ）、晴から曇に変化したと判定する（ステップＳ１５）。気象判定情報の値が変化しない場合には、曇から曇、または晴から晴と判定する（ステップＳ１６）。この気象判定処理は、太陽電池関連情報１５毎に行なわれる。
【００３９】
ステップＳ１４〜Ｓ１６からの気象判定結果と位置情報とを比較して、雲の形を推定する（ステップＳ１７）。即ち、例えば気象判定を曇や晴などの天気ではなく雲の有無で判定すれば、太陽電池関連情報保持部１０に情報が保持されている太陽光発電システムの位置における雲の分布を、設備を追加することなく得ることができる。
【００４０】
また、太陽電池関連情報１５には位置情報１６が含まれるため、位置情報１６の位置毎に気象を判定できる。また、位置毎の気象判定結果を図示化することで、太陽電池関連情報保持部１０に情報が保持されている太陽光発電システムの位置における気象情報を設備を追加することなく得ることができる。
【００４１】
以上説明したように、本発明の実施例２に係る太陽光発電システムによれば、太陽電池関連情報保持部１０に情報が保持されている太陽光発電システムの位置における気象情報を設備を追加することなく得ることができる太陽光発電システムを提供できる。
【実施例３】
【００４２】
図９は、本発明の実施例３に係る太陽光発電システムの要部の構成を示す図である。図９に示す実施例３に係る太陽光発電システムは、図１に示す実施例１に係る太陽光発電システムの構成にさらに、情報受信部２５、出力低下検出部２７、天候影響検出部２８、異常判定部２９とを追加したことを特徴とする。図９において、図１と同様に構成される部分については説明を省略する。
【００４３】
情報受信部２５は、情報送信部１４より送信された太陽電池関連情報１５とデータベースからの気象情報を受信し、受信した太陽電池関連情報１５を出力低下検出部２７および天候影響検出部２８へ送信するとともに、受信した気象情報を天候影響検出部２８へ送信する。
【００４４】
太陽電池関連情報１５の太陽電池情報１８の運用情報２０には、出力低下検出部２７で太陽電池モジュール１または太陽電池ストリング８または太陽電池アレイ１−１〜１−ｎの出力低下の検出に使用される情報、例えば太陽電池モジュール１または太陽電池ストリング８または太陽電池アレイ１−１〜１−ｎの電流、電圧、電力などのうち１つまたは複数の情報が含まれる。
【００４５】
気象情報には、天候影響検出部２８で天候の影響の検出に使用される情報、例えば雲の配置、雲の写真、各位置における日射強度、太陽の位置、影を成しうる物体の情報、実施例2の方法によって得られたなどのうち１つまたは複数の情報が含まれる。
【００４６】
出力低下検出部２７は、太陽電池モジュール１または太陽電池ストリング８または太陽電池アレイ１−１〜１−ｎの出力低下の検出情報と、場合により太陽電池関連情報１５も含めて異常判定部２９に送信する。天候影響検出部２８は、天候の影響の検出情報と気象情報と、場合により太陽電池関連情報１５も含めて異常判定部２９に送信する。
【００４７】
次に、上記のように構成される本発明の実施例３に係る太陽光発電システムの動作を図１０に示すフローチャートを参照しながら説明する。
【００４８】
まず、出力低下検出部２７は、情報受信部２５から太陽電池関連情報１５を取得する（ステップＳ２１）。次に、出力低下検出部２７は、太陽電池関連情報１５に含まれる出力低下の検出に使用される情報を用いて、例えば出力低下に使用される情報の値がある閾値以下になったかどうかを判定する（ステップＳ２２）。この出力低下判定処理は、太陽電池関連情報１５毎に行われる。出力低下に使用される情報の値がある閾値以下でない場合には、異常判定部２９は、正常と判定する（ステップＳ２３）。
【００４９】
次に、ステップＳ２２において、出力低下に使用される情報の値がある閾値以下になった場合には、天候影響検出部２８は、太陽電池関連情報１５に含まれる位置情報１６および気象情報を取得し（ステップＳ２４）、位置情報１６および気象情報を用いて、例えば位置情報１６の位置に雲がかかっているかどうかを判定する（ステップＳ２５）。この判定処理は太陽電池関連情報１５毎に行われる。
【００５０】
次に、異常判定部２９は、位置情報１６の位置に雲がかかっている場合には、正常と判定する。また、異常判定部２９は、位置情報１６の位置に雲がかかっていない場合には、即ち、出力低下が検出されたが、天候の影響が検出されなかった出力低下を異常として判定する（ステップＳ２６）。この異常には、例えば太陽電池モジュール表面の汚損や破損などの物理的異常、太陽電池モジュール１の故障や劣化、回路の断線などの電気的異常などが含まれ、天候の影響は排除されている。
【００５１】
以上の構成により、太陽電池モジュール１または太陽電池ストリング８または太陽電池アレイ１−１〜１−ｎの物理的異常や電気的異常を気象条件の要素を排除して検出することで、精度良く検出でき、しかも設備を追加することがないため、導入コストを安くでき、自己故障検出機能を持たせることができる。
【００５２】
また、異常がない場合に異常を検出した場合には、太陽電池関連情報１５の位置における積雪として考えることができる。位置毎の積雪を図示化することで、太陽電池関連情報保持部１０に情報が保持されている太陽光発電システムの位置における積雪情報を、設備を追加することなく得ることができる。
【００５３】
以上説明したように、本発明の実施例３に係る太陽光発電システムによれば、太陽電池関連情報保持部１０に情報が保持されている太陽光発電システムの位置における積雪情報を得ることができ、太陽電池モジュール１または太陽電池ストリング８または太陽電池アレイ１−１〜１−ｎの物理的異常や電気的異常を精度良く検出でき、かつ導入コストを安くでき、自己故障検出機能を有する太陽光発電システムを提供できる。
【実施例４】
【００５４】
図１１および図１２は本発明の実施例４に係る太陽光発電システムの要部の構成を示す図である。
【００５５】
太陽電池関連情報１５の太陽電池情報１８の運用情報２０には、太陽電池モジュール１または太陽電池ストリング８または太陽電池アレイ１−１〜１−ｎの出力を判定できる情報、例えば電流や電力、および太陽電池モジュール１または太陽電池ストリング８または太陽電池アレイ１−１〜１−ｎの温度および太陽電池モジュール１または太陽電池ストリング８または太陽電池アレイ１−１〜１−ｎの周囲温度が含まれる。
【００５６】
図１１に示すように、太陽電池モジュール１または太陽電池ストリング８または太陽電池アレイ１−１〜１−ｎの周囲温度からの温度上昇は、日射強度に比例する。また、太陽電池モジュール１または太陽電池ストリング８または太陽電池アレイ１−１〜１−ｎの周囲温度からの温度上昇は、図１２に示すように、風速に指数関数的に反比例する。
【００５７】
このため、太陽電池関連情報１５の太陽電池情報１８の運用情報２０に日射強度を含むかあるいは実施例２に係る太陽光発電システムによる方法で太陽電池関連情報１５毎の日射強度を推定し、推定された日射強度に基づき、図示しない風速算出部により太陽電池関連情報１５の位置情報１６の位置における風速を設備を追加することなく算出することができる。
【００５８】
このとき、風速が強い太陽電池関連情報１５の位置情報１６の位置に該当する太陽電池モジュールを、例えば寝かせるかあるいは外すなどの対応が可能で、安全性の高い太陽光発電システムを提供できる。
【００５９】
また、位置毎の風速を図示化することにより、太陽電池関連情報保持部１０に情報が保持されている太陽光発電システムの位置における風速情報を、設備を追加することなく得ることができる。
【００６０】
以上説明したように、本発明の実施例４に係る太陽光発電システムによれば、太陽電池関連情報保持部１０に情報が保持されている太陽光発電システムの位置における風速を得ることができ、また風速が強い場合に対処できる安全で多目的な太陽光発電システムを提供できる。
【産業上の利用可能性】
【００６１】
本発明は、太陽光発電システムに発電機能以外の機能を付加する場合などの多目的な太陽光発電システムに利用できる。
【符号の説明】
【００６２】
１  太陽電池モジュール
２  接続箱
３  インバータ
４  昇圧変圧器
５  交流遮断器
６  連系用変圧器
７  連系用遮断器
８  太陽電池ストリング
９  電力系統
１０  太陽電池関連情報保持部
１１   位置情報保持部
１２   太陽電池情報保持部
１３   識別情報保持部
１４   情報送信部
１５   太陽電池関連情報
１６   位置情報
１７   識別情報
１８   太陽電池情報
１９   固有情報
２０   運用情報
２１   基準点
２２   基準方向ベクトル
２３   基準回転方向
２４   緯度・経度計測手段
２５   情報受信部
２６   気象判定部
２７   出力低下検出部
２８   天候影響検出部
２９   異常判定部
【図１】
2011187808.tif 000003
【図２】
2011187808.tif 000004
【図３】
2011187808.tif 000005
【図４】
2011187808.tif 000006
【図５】
2011187808.tif 000007
【図６】
2011187808.tif 000008
【図７】
2011187808.tif 000009
【図８】
2011187808.tif 000010
【図９】
2011187808.tif 000011
【図１０】
2011187808.tif 000012
【図１１】
2011187808.tif 000013
【図１２】
2011187808.tif 000014
【図１３】
2011187808.tif 000015